(57)【特許請求の範囲】
【請求項１】
原稿を繰り込んで片面を読み込んだ後に、原稿を逆送して反対面を読み取るようにした装置において、
原稿を繰り込んで片面を読み込んだ後に、原稿を逆送して反対面を読み取り、次いで再度原稿を逆送して、原稿を正順に排出する正順排出モードと、
原稿を繰り込んで片面を読み込んだ後に、原稿を逆送して反対面を読み取り、次いで、前記再度の逆送を行わずに、原稿を排出する高速排出モードとを実行できるように構成され、
かつ前記正順排出モードと高速排出モードとの一方をユーザーが選択するための手段を設けたことを特徴とする、両面原稿読み取り装置。
【請求項２】
原稿の有無を検出して原稿枚数をカウントするための手段を設けて、原稿が１枚のみの場合に、正順排出モードでも前記再度の逆送を省略するように構成したことを特徴とする、請求項１の両面原稿読み取り装置。
【請求項３】
前記カウント手段で複数枚の原稿を検出した際に、前記再度の逆送と同時に、次の原稿を読み取り装置内に繰り込むように構成したことを特徴とする、請求項１または２の両面原稿読み取り装置。
【発明の詳細な説明】
【０００１】
【発明の利用分野】
この発明は、ファクシミリやコピー機などに用いる、両面原稿読み取り装置に関する。
【０００２】
【従来技術】
両面原稿読み取り装置では、原稿を装置内に繰り込み片面を読み取った後に、原稿を逆送して反対面を読み込み、次いで再度原稿を逆送して、原稿の順序を正順に整えることが知られている。
【０００３】
【従来技術の問題点】
しかしながらこのような両面原稿の読み取り装置では、１枚の原稿を読み取るのに、合計３回の原稿の搬送が必要で、会議などで至急にコピーする必要がある場合などには不便である。
【０００４】
【発明の課題】
この発明の基本的課題は、時間に余裕がある場合には原稿を正順に排出でき、とりあえず読み込んで後で原稿を整理したい場合には、高速で読み込んで排出できるようにして、両面原稿読み取り装置の使い勝手を向上させることにある（請求項１〜３）。
請求項２の発明での追加の課題は、原稿が１枚のみである場合、原稿間の順序が狂うことがないことに着目して、高速で排出できるようにすることにある。
請求項３の発明での追加の課題は、正順排出をより高速で行えるようにすることにある。
【０００５】
【発明の構成】
この発明は、原稿を繰り込んで片面を読み込んだ後に、原稿を逆送して反対面を読み取るようにした装置において、
原稿を繰り込んで片面を読み込んだ後に、原稿を逆送して反対面を読み取り、次いで再度原稿を逆送して、原稿を正順に排出する正順排出モードと、
原稿を繰り込んで片面を読み込んだ後に、原稿を逆送して反対面を読み取り、次いで、前記再度の逆送を行わずに、原稿を排出する高速排出モードとを実行できるように構成され、
かつ前記正順排出モードと高速排出モードとの一方をユーザーが選択するための手段を設けたことを特徴とする。
【０００６】
好ましくは、原稿の有無を検出して原稿枚数をカウントするための手段を設けて、原稿が１枚のみの場合に、正順排出モードでも前記再度の逆送を省略するように構成する。
【０００７】
また好ましくは、前記カウント手段で複数枚の原稿を検出した際に、前記再度の逆送と同時に、次の原稿を読み取り装置内に繰り込むように構成する。
なおこの明細書において、「繰り込む」は読み取り装置内に原稿を繰り込むことを、「逆送」するは、繰り込んで少なくとも片面を読み取った原稿を、読み取り装置内で逆方向に送ることを意味する。
【０００８】
【発明の作用と効果】
この発明では、正順排出モードと高速排出モードとをユーザーが選択できるので、時間をかけて読み込みを行うことができる場合には、正順排出モードを用い、読み取りの間その場を離れて、読み取り終わった頃に装置に戻って、正順に排出された原稿を回収する、等の使い方ができる。また読み取りを急ぐ場合には、高速排出モードで原稿の順序が乱れたまま高速で読み取りし、後で原稿の順序を整えるなどの使い方ができる。このため両面原稿読み取り装置の使い勝手が向上する（請求項１〜３）。
【０００９】
請求項２の発明では、原稿の枚数をカウントし、１枚のみの場合には正順排出モードが選択されていても、再度の逆送を省略する。原稿が１枚のみの場合、正順も原稿順序の乱れも考える必要はなく、このため、１枚のみの原稿を両面読み取りする場合に、読み取り速度を大幅に向上できる。
【００１０】
請求項３の発明では、正順排出モードで、再度の逆送を行うのと平行して、次の原稿を繰り込む。このため原稿の順序を保ったまま、高速で読み取ることができる。
【００１１】
【実施例】
図１〜図７に実施例の両面原稿読み取り装置を示し、図１にその機構的な構成を示す。実施例の両面原稿読み取り装置は、例えばコピー機能付きのファクシミリ等の画像装置２のスキャナである。３は原稿台で、上部のトレー４に読み取り前の原稿を置き、下部のトレー５に読み取り後の原稿が排出される。６はＦＢＳ（フラットベッドスキャニング）用のプラテンガラス、８はＡＤＦ（オートマチックドキュメントフィーディング）用の原稿送り装置、１０はＡＤＦ読み取り用のプラテンガラスである。そして実施例では、ＡＤＦ用原稿送り装置８で原稿を逆送させて、両面読み取りを行う。
【００１２】
１２はスキャナのキャリッジで、蛍光灯等の光源からの光をプラテンガラス６，１０を介して原稿に当て、反射光を鏡等で結像させて、ＣＣＤセンサ等のイメージセンサで読み取る。ここでは１つのキャリッジ１２を用いたが、光源用キャリッジとミラー用キャリッジ等に分割し、光源用キャリッジとミラー用キャリッジとを、２：１等の速度比で同期させて走行させても良い。
【００１３】
キャリッジ１２は、図示しない走行モータにより、キャリッジ走行レール１４に沿って走行し、ＡＤＦでの読み取り時にはＡＤＦ読み取り用のプラテンガラス１０の下部で停止して読み取りを行い、ＦＢＳ時にはＦＢＳ用のプラテンガラス６の下部を図１の右から左へと高速で走行してスキャンする。なおＨＳはホームセンサ、ＥＳはエンドセンサで、これらのセンサには光電センサ等を用い、ＦＢＳ用の待機位置と、ＦＢＳでの読み取り範囲の終わりとを検出するために設ける。
【００１４】
図２に、画像装置２の制御系を示す。２２は主制御装置としてのＣＰＵで、２４は公衆回線網などで回線を確立するためのネットワーク制御装置、２６はモデム、２８は読み取った画像や受信した画像などを記憶するための画像メモリ、３０は作業過程のデータや画像などを記憶するためのＲＡＭ、３２はプログラムなどを記憶するためのＲＯＭである。３４は表示部で、ＬＣＤなどを用いて、ユーザーに読み取りモードやファクシミリ番号などを表示し、３６は操作部で、テンキーと表示部へのユーザーのタッチを検出するためのタッチセンサなどからなっている。３８はスキャナで、前記のキャリッジ１２やＡＤＦ用原稿送り装置８等で構成され、４０は印画部で、読み取った画像などをハードプリントする。４２はＰＣインターフェースで、パーソナルコンピュータ４４との間で画像データを送受信するためのものである。４６はキャリッジドライバで、キャリッジ１２の位置を制御する。
【００１５】
ＡＤＦ用原稿送り装置８には、正順排出制御部４８と高速排出制御部５２の２つの制御部があり、いずれを用いるかは操作部３６でユーザーが選択できる。正順排出制御部４８のサブシステムとして、同時繰り込み制御部５０が設けられ、正順排出モードで、原稿の再度の逆送時に、次の原稿の繰り込みを開始するためのものである。５４は頁カウント部で、次に繰り込む原稿の有無を検出して、制御部４８，５２に伝え、原稿枚数の合計をカウントするためのものである。制御部４８〜５２によりＡＤＦドライバ５６を制御し、ドライバ５６は原稿送り用のローラを駆動する。
【００１６】
図３〜図５に、実施例での原稿送りを示す。実施例では複数枚に積み重ねられた原稿を、上から１枚ずつ搬送するようにするが、下から１枚ずつ搬送しても良い。図３にＡＤＦ用原稿送り装置８でのローラＲ１〜Ｒ１３の配置を示し、Ｐ１は１枚目の原稿で、Ｐｆはその表面、Ｐｂはその裏面で、上側のトレーに配置した原稿を繰り込んで、下側のトレーに排出する。２０はＣＣＤイメージセンサで、適当な光学系により蛍光灯から原稿に当たって反射した光を、ＣＣＤイメージセンサ２０に結像させる。
【００１７】
ローラＲ１，Ｒ２は上部トレーから原稿を繰り込むためのローラで、ローラＲ８は原稿を繰り込む方向に回転し、ローラＲ９は原稿を戻す方向に回転して、２枚以上の原稿が一度に繰り込まれるのを防止する。ローラＲ３，Ｒ４，Ｒ６は同期して回転し、ローラＲ５，Ｒ７は、原稿を下部トレーに排出する向きに搬送するのが正転で、原稿送り装置８内に戻して逆送させるように搬送するのが逆転である。またローラＲ５は、ローラＲ７と接した位置から下向きに移動してフリー状態になることができる。ローラＲ１０〜Ｒ１３は、フリーローラでも、ローラＲ２〜Ｒ４，Ｒ６と同方向に回転する搬送ローラでも良い。なおローラＲ１〜Ｒ１３の配置や動作の詳細は任意である。
【００１８】
Ｓ１〜Ｓ３は光電センサなどを用いた原稿センサで、原稿センサＳ１は次の原稿の有無を検出し、頁カウント部はこの信号で原稿の合計枚数をカウントする。原稿センサＳ２は、原稿が読み取り部に達したかと読み取り部を通過し終わったかとを検出するために用い、原稿センサＳ３は原稿が最後のローラＲ５，Ｒ７に達したか等を検出するために用いる。ＡＤＦ用原稿送り装置８にはこれ以外に原稿のガイド等があるが、図示を省略する。
【００１９】
正順排出モードでも高速排出モードでも、図３，図４の動作は共通で、最初に図３に示すように、原稿Ｐ１をローラＲ１〜Ｒ７を正転させて送り、プラテンガラス１０の位置で原稿Ｐ１の表面Ｐｆを読み取り、表裏が反転した状態で、ローラＲ５，Ｒ７から下部トレー側へ送り出す。
【００２０】
この時、原稿Ｐ１の末端はローラＲ５，Ｒ７に挟まれたままであり、続いて図４に示すように、ローラＲ５，Ｒ７を逆転させて、原稿Ｐ１を逆送し、途中でローラＲ５を下降させてフリーにし、原稿Ｐ１の裏面Ｐｂを読み取り、下部トレー側に送り出す。ここで原稿センサＳ１が次の原稿を検出しない場合、原稿の順序を考える必要はないので、正順排出モードでも図４から原稿を排出して、搬送を終了する。高速排出モードでは、次の原稿の有無に係わらず、図４の状態から原稿を排出する。
【００２１】
正順排出モードで次の原稿がある場合、図５に示すように、ローラＲ５，Ｒ７を逆転させて、原稿Ｐ１を再度逆送させ、原稿Ｐ１が充分に搬送され、次の原稿Ｐ２の搬送を開始しても干渉しなくなった時点で、次の原稿Ｐ２の繰り込みを開始する。排出された原稿は図５の左側に示すように、原稿の表裏と順序が共に反転しているので、原稿の束を裏返せば、正しい順序で表面が上側を向く。また次の原稿Ｐ２の繰り込みと、前の原稿Ｐ１の再度の逆送を同時に行えるので、搬送速度が向上する。なお高速排出モードの場合でも、図４で原稿Ｐ１が充分に搬送され、次の原稿Ｐ２の搬送を開始しても干渉しなくなった時点で、次の原稿Ｐ２の繰り込みを開始するのが好ましい。
【００２２】
図６，図７に、実施例での原稿の送り制御を示す。原稿センサＳ１がオンして、読み取るべき原稿を検出するまで待機し(ステップｓ１)、原稿を上から一枚分離し、ローラＲ１〜Ｒ７の正転を開始させる(ステップｓ２)。原稿の先端が読み取り位置まで進んだことを、原稿センサＳ２がオンした後のローラの回転量から求め(ステップｓ３)、原稿表面の読み取りを開始する(ステップｓ４)。ここでローラＲ１，Ｒ２の回転を停止し(ステップｓ５)、原稿センサＳ２がオフした後の回転量から、原稿の終端が読み取り部を通過したか否かを検出し(ステップｓ６)、通過している場合には読み取りを終了する(ステップｓ７)。
【００２３】
次いで原稿センサＳ３がオンした後オフしたことから、原稿が原稿センサＳ３を通過し終わった事を検出し(ステップｓ８,ｓ９)、ローラＲ３〜Ｒ７を一旦停止する(ステップｓ１０)。この時原稿は大部分ローラＲ５，Ｒ７の外側にあり、原稿の表裏が反転している。次にローラＲ５，Ｒ７を逆転させ、ローラＲ３，Ｒ４，Ｒ６を正転させて(ステップｓ１１)、原稿を原稿送り装置内に逆送し、原稿センサＳ２がオンした後の回転量から原稿の先端が読み取り位置に到達したことを検出し(ステップｓ１２)、原稿裏面の読み取りを開始する(ステップｓ１３)。次いでローラＲ５とＲ７とを分離し、ローラＲ５をフリーにし、ローラＲ７を正転させる(ステップｓ１４)。原稿センサＳ２がオフした後の回転量から、原稿終端が読み取り位置を通過したことを検出し(ステップｓ１５)、裏面の読み取りを終了する(ステップｓ１６)。
【００２４】
次いで読み取った原稿のカウント数を１増加させ(ステップｓ１７)、原稿センサＳ３がオンしたこととその後の回転量とから、原稿の先端がローラＲ５に達していることを検出し(ステップｓ１８)、ローラＲ５とローラＲ７とを接触させ、これらを正転させて、原稿を排出方向に送る(ステップｓ１９)。ここで読み取りモードをチェックし(ステップｓ２０)、正順排出モードの場合、原稿が原稿センサＳ３を通過し終わる事を検出して(ステップｓ２１)、結合子▲１▼から図７に進む。また高速排出モードの場合、次の原稿の有無を原稿センサＳ１の出力でチェックし(ステップｓ２２)、次の原稿がない場合には、結合子▲２▼から図７に移り、次の原稿がある場合、結合子▲３▼から図７に移る。
【００２５】
正順排出モードで、原稿がＳ３を通過し終わると、次の原稿の有無をチェックし(ステップｓ２３)、次の原稿が無く、原稿の読み取り枚数が合計一枚の場合(ステップｓ２４)、結合子▲２▼からの制御の流れと合流させて、原稿センサＳ３からローラＲ５まで以上の距離にわたって原稿を搬送した後、全ローラを停止させる(ステップｓ２５)。これは正順排出モードで原稿枚数が一枚のみの場合と、高速排出モードとで、再度の逆送を省略して、原稿を排出することに対応する。
【００２６】
正順排出モードで、次の原稿があるか、読み取った原稿の合計枚数が一枚より多い場合、ローラＲ５，Ｒ７を逆転させて、再度の逆送を行い、ローラＲ３，Ｒ４，Ｒ６は正転させる(ステップｓ２６)。次いで原稿センサＳ２がオンした後の回転量から、ローラＲ３まで原稿が送られていることを検出し(ステップｓ２７)、ローラＲ５、Ｒ７を離して、ローラＲ５をフリーにする(ステップｓ２８)。ここで原稿が原稿センサＳ２を通過し終わったことを検出すると(ステップｓ２９)、原稿の先端がローラＲ５に達したことを検出して(ステップｓ３０)、ローラＲ５とローラＲ７とを接触させ、これらを正転させる(ステップｓ３１)。次の原稿の有無を、原稿センサＳ１でチェックし(ステップｓ３２)、次の原稿が無い場合、原稿センサＳ３を通過し終わったことを検出すると(ステップｓ３３)、結合子▲２▼からステップｓ２５に移行する。
【００２７】
次の原稿がある場合、結合子▲３▼からの制御フローと合流し、ローラＲ１，Ｒ９を用いて次の原稿を一枚取り出し、ローラＲ１，Ｒ２で繰り込みを開始する(ステップｓ３４)。次いで、原稿センサＳ２がオンした後の回転量から、原稿の先端が読み取り位置に到達したことを検出し(ステップｓ３５)、次の原稿の表面側の読み取りを開始する(ステップｓ３６)。この後次の原稿の搬送に対して、結合子▲４▼から図６に戻り、次の原稿の表面の読み取り、逆送による裏面の読み取り、再度の逆送による表裏の反転を行う。
【００２８】
実施例では、正順排出モードと高速排出モードとを設けたので、時間にゆとりがある場合、原稿の順序を揃えて排出させることができる。読み取りを急ぐ場合、高速排出モードで、取り敢えず読み取り、後で原稿の順序を揃える事ができる。また正順排出モードでも、原稿の枚数が一枚しか無い場合、原稿の表裏反転用の再度の逆送を行わないので、読み取り速度を高める事ができる。さらに、正順排出モードで、表裏反転用の再度の逆送と、次の原稿の繰り込みとを平行して行い、原稿の読み取り速度を向上させることができる。
【図面の簡単な説明】
【図１】  実施例の両面原稿読み取り装置の構造を示す縦方向断面図
【図２】  実施例の両面原稿読み取り装置の制御系を示すブロック図
【図３】  実施例での、両面原稿の読み取り動作を説明する図
【図４】  実施例での、図３に引き続く読み取り動作を示す図
【図５】  実施例での、図４に引き続く再度の逆送動作を示す図
【図６】  実施例での、両面原稿の読み取りアルゴリズムを示すフローチャート
【図７】  図６に続く、両面原稿の読み取りアルゴリズムを示すフローチャート
【符号の説明】
２          画像装置
３          原稿台
４，５        トレー
６          ＦＢＳ用のプラテンガラス
８          ＡＤＦ用原稿送り装置
１０          ＡＤＦ読み取り用のプラテンガラス
１２          キャリッジ
１４          キャリッジ走行レール
２０          ＣＣＤセンサ
２２          ＣＰＵ
２４          ネットワーク制御装置
２６          モデム
２８          画像メモリ
３０          ＲＡＭ
３２          ＲＯＭ
３４          表示部
３６          操作部
３８          スキャナ
４０          印画部
４２          ＰＣインターフェース
４４          パーソナルコンピュータ
４６          キャリッジドライバ
４８          正順排出制御部
５０          同時繰り込み制御部
５２          高速排出制御部
５４          頁カウント部
５６          ＡＤＦドライバ
Ｒ１〜Ｒ１３  ローラ
ＨＳ          ホームセンサ
ＥＳ          エンドセンサ
Ｓ１〜Ｓ３    原稿センサ
【図１】
0004296459.tif 000002
【図２】
0004296459.tif 000003
【図３】
0004296459.tif 000004
【図４】
0004296459.tif 000005
【図５】
0004296459.tif 000006
【図６】
0004296459.tif 000007
【図７】
0004296459.tif 000008